(57)【特許請求の範囲】
【請求項１】
間隙内において該間隙内に侵入した侵入水の浸入方向に直交するように介在配置し該侵入水の止水を図る棒状のゴム製成形止水材であって、軸直交方向の断面形状における左側部と右側部間を繋ぐ上面と底面とを備え、該左側部及び右側部の少なくとも一方に上記上面から上記底面側に向かって下り傾斜する傾斜部を曲面形状に形成し、該傾斜部上に侵入水を滞留して同傾斜部により侵入水の水圧を受圧し、ゴムの弾性反発力によって上記上面と上記底面を離間するように変形して止水を図ることを特徴とするゴム製成形止水材。
【請求項２】
上記上面を曲面形状に形成し、上記傾斜部の曲面形状と連続化した構成としたことを特徴とする請求項１記載のゴム製成形止水材。
【請求項３】
非膨張ゴムから成る非膨張部分と水膨張ゴムから成る水膨張部分とを有し、該非膨張部分と該水膨張部分とを軸直交方向の断面形状における左右方向に積層し一体成形して成り、上記傾斜部の受圧による上記水膨張部分及び上記非膨張部分の変形によって第一次止水を図ると共に、侵入水の吸収による上記水膨張部分の膨張によって第二次止水を図ることを特徴とする請求項１又は請求項２に記載のゴム製成形止水材。
【請求項４】
非膨張ゴムから成る非膨張部分と水膨張ゴムから成る水膨張部分とを有し、該水膨張部分の軸直交方向の断面形状における左右端と下端とを上記非膨張部分で抱持した状態で一体成形して成り、上記傾斜部の受圧による上記水膨張部分及び上記非膨張部分の変形によって第一次止水を図ると共に、侵入水の吸収による上記水膨張部分の膨張によって第二次止水を図ることを特徴とする請求項１又は請求項２に記載のゴム製成形止水材。
【発明の詳細な説明】
【技術分野】
【０００１】
本発明は打設コンクリートと該打設コンクリート内に埋設される配管用スリーブや型枠用セパレータの如き部材の外面間に生ずる微細間隙、又はボックスカルバートやトンネルセグメントの如き複数を隣接配置するコンクリート二次製品の継手部分に生ずる間隙内に介在配置し、これら間隙内に侵入してきた侵入水（雨水・地下水等）を食い止めるゴム製の成形止水材に関するものである。
【背景技術】
【０００２】
従来のゴム製成形止水材として下記特許文献１及び下記特許文献２に記載のゴム製成形止水材が既知である。該特許文献１・２記載のゴム製成形止水材は、棒状のゴム製成形止水材の端部同士を接着してリング状に成形したものであり、配管用スリーブの外面に取り付け、該配管用スリーブと共に打設コンクリート内に埋設し、同配管用スリーブの外面に沿いコンクリート内に生じた微細間隙内に侵入してきた侵入水の止水を行うものである。
【０００３】
下記特許文献１に開示されているゴム製成形止水材は、径方向断面形状において矩形状に成形し、該矩形状の上面中央に突出部を設け、該突出部と該矩形状の左右端部を水膨張ゴムで形成し、その間を非膨張ゴムで形成し、これらを一体化する構造を有するものである。
【０００４】
また、下記特許文献２に開示されているゴム製成形止水材は、径方向断面形状において上位に単数又は複数の突出部を形成し、同下位に平面状の取付部を形成し、該取付部の左右端部をそれぞれ非膨張ゴムで形成し、その余の部分（特に上記突出部）を水膨張ゴムで形成し、これらを一体化する構造を有するものである。
【先行技術文献】
【特許文献】
【０００５】
【特許文献１】特開平１０−２９９１１２号公報
【特許文献２】実用新案登録第３１６７４３３号公報
【発明の概要】
【発明が解決しようとする課題】
【０００６】
上記特許文献１・２のゴム製成形止水材は、要するに、突出部の高さにより間隙内の侵入水を阻止する技術思想と、該突出部を水膨張ゴムで形成することにより侵入水を吸収し当該突出部を膨張させて止水を確実ならしめる技術思想に基づくものである。
【課題を解決するための手段】
【０００７】
本発明は、従来のゴム製成形止水材の技術思想、すなわち突出部を設けて該突出部の高さと当該突出部の膨張により止水を図る技術思想とは全く異なる技術思想に基づくゴム製成形止水材を提供する。
【０００８】
つまり、本発明に係るゴム製成形止水材は、従来とは異なり、突出部を設けず、互いに略平行な上面と底面とをゴムが本来有する弾性反発力によって離間するように変形させて、間隙内に侵入した侵入水を阻止する技術思想に基づくものである。
【０００９】
要述すると、本発明に係るゴム製成形止水材は、棒状を呈し、軸直交方向の断面形状における左側部と右側部間を繋ぐ上面と底面とを備え、該左側部及び右側部の少なくとも一方に上記上面から上記底面側に向かって下り傾斜する傾斜部を形成し、該傾斜部により侵入水の水圧を受圧し、ゴムの弾性反発力によって上記上面と上記底面を離間するように変形して止水を図る構成を有し、突出部を設けずに成形容易で且つゴム本来機能を利用した止水を図ることができる。
【００１０】
加えて、上記傾斜部を曲面形状に形成し、該傾斜部上に侵入水を滞留して同傾斜部により侵入水の水圧を受圧し、当該侵入水圧の受圧による変形を確実にする。
【００１１】
更に好ましくは、上記上面を曲面形状に形成し、上記傾斜部の曲面形状と連続化した構成とする。
【００１２】
また、非膨張ゴムから成る非膨張部分と水膨張ゴムから成る水膨張部分とを有し、該非膨張部分と該水膨張部分とを軸直交方向の断面形状における左右方向に積層し一体成形して成り、上記傾斜部の受圧による上記水膨張部分及び上記非膨張部分の変形によって第一次止水を図ると共に、侵入水の吸収による上記水膨張部分の膨張によって第二次止水を図る。
【００１３】
また、本発明に係るゴム製成形止水材の二段階止水機能の他例として、非膨張ゴムから成る非膨張部分と水膨張ゴムから成る水膨張部分とを有し、該水膨張部分の軸直交方向の断面形状における左右端と下端とを上記非膨張部分で抱持した状態で一体成形して成り、上記傾斜部の受圧による上記水膨張部分及び上記非膨張部分の変形によって第一次止水を図ると共に、侵入水の吸収による上記水膨張部分の膨張によって第二次止水を図る。
【発明の効果】
【００１４】
本発明に係るゴム製成形止水材によれば、突出部を設けるような複雑な形状を要せず、シンプルな形状によりゴム本来の弾性反発力を効果的に発揮させて変形し、侵入水のさらなる侵入を有効に食い止めることができる。該変形は侵入水の水圧を傾斜部が受圧することにより即時に行われるため、台風やゲリラ豪雨等により多量の侵入水が短期間で侵入してきたときにも有効に止水に供することができる。
【００１５】
また、本発明に係るゴム製成形止水材は、コンクリート内に埋設する場合には、突出部を設けないことにより自身の周囲へのコンクリート流入性を良好にし、且つ傾斜部により上記流入性をさらに高めると共にブリージング水を適切に逃がして脆弱部（レイタンス）の発生を防止する。
【００１６】
さらに、水膨張ゴムを用いることにより、該水膨張ゴムが侵入水を吸収して膨張し、上記変形による止水を補完することができる。
【図面の簡単な説明】
【００１７】
【図１】実施例１に係るゴム製成形止水材を一部切欠して示す斜視図。
【図２】実施例１に係るゴム製成形止水材を配管用スリーブの外面に取り付けつつ打設コンクリート内に埋設した状態を概示する断面図。
【図３】実施例１に係るゴム製成形止水材を打設コンクリート内に埋設した状態を拡大して示す断面図。
【図４】実施例１に係るゴム製成形止水材が少量の侵入水により予備的に変形した状態を拡大して示す断面図。
【図５】（Ａ）は実施例１に係るゴム製成形止水材の傾斜部が侵入水の水圧を受圧し、その上面及び底面を離間するように変形した状態を拡大して示す断面図、（Ｂ）は実施例１に係るゴム製成形止水材を構成する水膨張部分が侵入水の吸収により膨張した状態を拡大して示す断面図。
【図６】実施例１に係るゴム製成形止水材をボックスカルバートに取り付ける様子を示す斜視図。
【図７】隣接するボックスカルバート間に配設した実施例１に係るゴム製成形止水材の状態を示す断面図。
【図８】実施例１に係るゴム製成形止水材をトンネルセグメントに取り付けた状態を示す説明図。
【図９】隣接するトンネルセグメント間に配設した実施例１に係るゴム製成形止水材の状態を示す断面図。
【図１０】実施例２に係るゴム製成形止水材を一部切欠して示す斜視図。
【図１１】実施例３に係るゴム製成形止水材を一部切欠して示す斜視図。
【発明を実施するための形態】
【００１８】
以下、本発明に係るゴム製成形止水材の実施形態を図１乃至図１１に基づき説明する。
【実施例１】
【００１９】
≪基本構成≫
図１は本発明に係るゴム製成形止水材（以下、単に成形止水材という。）の最も基本的な実施例を示している。本実施例に係る成形止水材１は、図１に示すように、可撓性を有する棒状を呈し、軸直交方向の断面形状における左側部２と右側部３間を繋ぐ上面４と底面５とを備え、該左側部２に上記上面４から上記底面５側に向かって下り傾斜する傾斜部６を形成すると共に同左側部２下端と上記底面５左端を繋ぐ出隅角部に曲面形状の面取り部７を形成する。上記傾斜部６は、図１等に示す如く、曲面形状にする。
【００２０】
また、上記右側部３下端と上記底面５右端を繋ぐ出隅角部に曲面形状の面取り部８を形成すると共に、同右側部３上端と上記上面４右端とを繋ぐ出隅角部に曲面形状の面取り部９を形成する。
【００２１】
なお、本実施例においては、傾斜部６を左側部２に形成する構成として説明するが、本発明は該傾斜部６を右側部３に形成する構成又は該傾斜部６を左側部２と右側部３の双方に形成する構成を包含する。
【００２２】
また、本発明に係る成形止水材１は、非膨張ゴムから成る非膨張部分１Ａと水膨張ゴムから成る水膨張部分１Ｂとから成り、当該非膨張部分１Ａと該水膨張部分１Ｂとを一体成形して構成する。
【００２３】
本実施例にあっては、非膨張部分１Ａと水膨張部分１Ｂとを上記断面形状における左右方向に積層し一体成形する。すなわち、図１に示すように、軸直交方向の断面形状において、左側部２及び傾斜部６は非膨張ゴムから成り、他方、右側部３は水膨張ゴムから成ると共に、上面４及び底面５は左右方向に積層した非膨張ゴムと水膨張ゴムの双方より成る構成を有する。
【００２４】
なお、本実施例においては、左側部２及び傾斜部６を非膨張ゴムで、右側部３を水膨張ゴムで形成する構成として説明するが、本発明においては、その逆の構成、すなわち左側部２及び傾斜部６を水膨張ゴムで、右側部３を非膨張ゴムで形成する構成を排除しない。  
【００２５】
≪水膨張ゴム及び非膨張ゴム≫
ここで、本発明において使用する水膨張ゴム及び非膨張ゴムについて説明する。
【００２６】
水膨張ゴムは、ゴムを基本材料とし、これに吸水性材料を配合したものである。基本材料のゴムとしては、クロロブチレンゴム、スチレンブタジエンゴム、イソプレンゴム、ブチルゴム、エチレンプロピレンゴム、天然ゴム、ニトリルゴム、ウレタンゴム、その他高分子材料等を単独又は複合して使用する。
【００２７】
また、吸水性材料としては、紙おむつや生理用品等に用いられる吸水性ポリマー（ポリアクリル酸ナトリウム）等を使用する。
【００２８】
本実施例においては、基本材料たるゴムと吸水性材料とを要求性能（膨張率、最大膨張までに要する時間等）に応じて適正割合で配合した水膨張ゴムを用いる。
【００２９】
また、非膨張ゴムは、上記に水膨張ゴムの基本材料として例示したゴムを使用する。
【００３０】
以上の構成を有するゴム製成形止水材１は、後記するように、上記傾斜部６を有する左側部２が初めに侵入水と接するように間隙内に介在配設し、該傾斜部６により侵入水の水圧を効率良く受圧し、ゴムの本来機能である弾性反発力によって上記上面４と上記底面５とを離間するように変形して止水を図る。
【００３１】
また、後記するように、水膨張部分１Ｂは侵入水を吸収して膨張し、成形止水材を構成するゴム（非膨張部分１Ａ及び水膨張部分１Ｂの双方のゴム）の弾性反発力による止水を補完して、止水を確実ならしめる。
【００３２】
≪配管用スリーブの外面とコンクリート間の微細間隙への適用例≫
図２乃至図５は、本実施例に係る成形止水材１を配管用スリーブ１３の外面１３ａとコンクリート１１間に生じる微細間隙へ適用した状態を示している。配管用スリーブ１３は構造物の屋外から屋内へ配管や配線を行うために使用する円筒状部材であり、構造物のコンクリート壁１２の外面１２ａと内面１２ｂ間を貫通するように打設コンクリート１１内に埋設される部材である。
【００３３】
上記微細間隙へ本実施例に係る成形止水材１を適用する場合には、該成形止水材１を適切な長さに切断し、該切断した成形止水材１の長手方向の端部同士を加硫接着してリング状に成形し、該リング状の成形止水材１を配管用スリーブ１３の外面（周面）１３ａに嵌合して取り付け、同配管用スリーブ１３と共にコンクリート１１内に埋設することにより適用する。
【００３４】
又は成形止水材１を適切な長さに切断し、その可撓性を利用して配管用スリーブ１３の外面１３ａにリング状に巻き付けて接着剤等により接着し、同配管用スリーブ１３と共にコンクリート１１内に埋設して適用しても良い。
【００３５】
上記のように、リング状に成形又はリング状に巻き付けた成形止水材（以下、リング状成形止水材という。）１を配管用スリーブ１３の外面１３ａに取り付けつつ、図２に示すようにコンクリート壁１２を構成するコンクリート１１内に埋設する。
【００３６】
コンクリート１１内に埋設する際には、配管用スリーブ外面１３ａの周囲、及び、成形止水材１の左側部２、該左側部２に形成された傾斜部６、右側部３並びに上面４の周囲に打設されたコンクリート１１が流入し、該流入したコンクリート１１が硬化することにより埋設する。
【００３７】
本実施例に係る成形止水材１にあっては、自身の周囲に突出部がなく元来コンクリート１１の流入性が良好なものであるが、さらに傾斜部６、曲面状の面取り部７・８・９によって上記流入性を高め、均密にコンクリート１１内に埋設されることとなる。
【００３８】
また、コンクリート１１の打設から硬化までの過程において、バイブレーションをかける工程の際には、図３に示すように、硬化前のコンクリート１１中の水分がブリージング水Ｗ１となり解放面（打設コンクリート面）に向かって上昇する。
【００３９】
このブリージング水Ｗ１を適切に上昇させなければ、該ブリージング水Ｗ１が滞留し、当該部分が脆弱部（レイタンス）となってしまうが、本実施例に係るリング状成形止水材１にあっては、そのリング下端における傾斜部６によりブリージング水Ｗ１を上方に導くため、適切にブリージング水Ｗ１が上昇し、周囲に脆弱部が発生することを防止する。同様にリング状成形止水材１のリング下端における面取り部９も上昇するブリージング水Ｗ１を適切に逃がす。つまり本実施例に係るリング状成形止水材１は、その傾斜部６及び面取り部９により周囲に脆弱部を形成することなく均密に埋設されることとなる。
【００４０】
そして、硬化したコンクリート１１と配管用スリーブ１３の外面１３ａ間、及び硬化したコンクリート１１とリング状成形止水材１の外表面たる左右側部２，３の外面並びに上面４間には、コンクリート壁１２の外面１２ａから内面１２ｂまで貫通する微細間隙が生じており、該外面１２ａから当該微細間隙を通じて侵入してくる侵入水が該内面１２ｂまで達するのを阻止し止水を図るのがリング状成形止水材１の役目である。
【００４１】
次に、図４・図５に基づき、上記の如く埋設されたリング状成形止水材１による止水について説明する。なお、図４・図５は、説明の便宜上、リング状成形止水材１のリング上端側のみの断面状態を示している。
【００４２】
図４に示すように、配管用スリーブ１３の外面１３ａに沿う微細間隙を通じて侵入してきた侵入水Ｗ２は、初期段階では、リング状成形止水材１の左側の面取り部７に到達する。この際に該面取り部７が侵入水Ｗ２の水圧を一部受圧し、リング状成形止水材１は上面４と底面５が離間するように予備的に変形する。
【００４３】
続いて、図５（Ａ）に示すように、侵入水Ｗ２は面取り部７の曲面形状により傾斜部６上に逃がされていき、該傾斜面６上で滞留する。この際に該傾斜部６が侵入水Ｗ２の水圧を受圧し、上記予備的変形よりも更に上面４と底面５を離間するように変形する。当該変形により、底面５が配管用スリーブ外面１３ａにさらに強固に密着すると共に、上面４が該上面４とコンクリート１１間に生じている微細間隙を塞ぐため、それ以上の侵入水Ｗ２の進行を妨げ止水を図ることができる。
【００４４】
すなわち、リング状成形止水材１は、自身を構成するゴム（非膨張部分１Ａを構成する非膨張ゴム及び水膨張部分１Ｂを構成する水膨張ゴム）がポアソン比に従い弾性反発力を発揮し、該弾性反発力によって上面４と底面５とを離間するように変形して、より強力に配管用スリーブ外面１３ａに密着すると共に微細間隙を封鎖し、侵入水Ｗ２のさらなる侵入を有効に食い止めて止水（以下、第一次止水という。）を図る。また、既述の如く、リング状成形止水材１がコンクリート１１内に均密に埋設されているため、傾斜部６による侵入水Ｗ２の水圧の受圧に際し、当該受圧を右側部３周囲のコンクリート１１がバックアップし、上記変形を助長する。
【００４５】
そして、上記した第一次止水を行っている変形状態が長期に亘ると、構成ゴムの弾性反発力が応力緩和により低下し、侵入水Ｗ２の一部を漏らしてしまう場合がある。しかし、このような場合には、図５（Ｂ）に示すように、漏れた侵入水Ｗ２を水膨張部分１Ｂの水膨張ゴムが吸収し自ら膨張して止水（以下、第二次止水という。）を図る。
【００４６】
以上のように、本実施例に係る成形止水材１をリング状に成形又は巻き付けて配管用スリーブ１３の外面１３ａに取り付け、同配管用スリーブ１３と共にコンクリート１１内に埋設すれば、該配管用スリーブ外面１３ａと上記コンクリート１１間に生じる微細間隙内に介在して配設されることとなる。
【００４７】
そして、侵入水Ｗ２の止水については、該侵入水Ｗ２の水圧を傾斜部６が受圧し構成ゴムが有する弾性反発力により上面４と底面５を離間するように変形して第一次止水を図り、該第一次止水の効果が減少すると即時に水膨張部分１Ｂの膨張により第二次止水を図ることができ、長期に亘って止水効果を持続させることができる。
【００４８】
また、配管用スリーブと同様にコンクリート内に埋設される部材である型枠用セパレータの外面に本実施例に係る成形止水材１を取り付け、同型枠用セパレータと共にコンクリート内に埋設すれば、上記と同様の効果が得られることは言うまでもない。
【００４９】
≪隣接するボックスカルバート間の微細間隙への適用例≫
図６・図７は、本実施例に係る成形止水材１を隣接するボックスカルバート１４・１４´間の継手部分に生じる間隙へ適用した状態を示している。該ボックスカルバート１４（１４´）は、角筒状に成形したコンクリート二次製品であり、複数個を連結して地中に埋設し、通路、水路、配線路等を形成する部材である。
【００５０】
図６に示すように、ボックスカルバート１４の端面１４ｃに成形止水材１と略同幅で環状に延びる溝１５を形成し、該溝１５内に成形止水材１を取り付け、上記端面１４ｃを隣接するボックスカルバート１４´の端面１４´ｃと突き合せて、両ボックスカルバート１４・１４´を連結する。なお、隣接するボックスカルバート１４´の端面１４´ｃには溝は形成しない。
【００５１】
上記溝１５内に成形止水材１を取り付ける場合には、該溝１５の環状に沿って適切な長さに切断した成形止水材１を同溝１５内に入れ込むか、又は図６に示すように、適切な長さに切断した成形止水材１を上記溝１５の環状に沿うように成形し端部同士を加硫接着して同溝１５内に入れ込む。何れにしても、図７に示すように、成形止水材１の傾斜部６がボックスカルバート１４の外面１４ａ側、すなわち侵入水の入口側へ向くように取り付ける。なお、図７において、傾斜部６を有する左側部２が底面５を基準として右側にあるかのように見えるが、これは図１に示した断面形状を裏側から見た状態である。
【００５２】
上記のように取り付けた成形止水材１は、図７に示すように、ボックスカルバート１４及びこれに隣接するボックスカルバート１４´の端面１４ｃ・１４´ｃ同士間に生じた間隙、つまり両ボックスカルバート１４・１４´の外面１４ａ・１４´ａから内面１４ｂ・１４´ｂまで貫通する間隙内に介在配置することとなる。この際に成形止水材１の上面４は隣接端面１４´ｃに密着し、同底面５は溝１５の底壁に密着する。
【００５３】
そして、上記外面１４ａ・１４´ａ側から上記微細間隙内に侵入してきた侵入水の水圧を成形止水材１の傾斜部６が受圧し、構成ゴムの弾性反発力により上面４と底面５が離間するように変形し、該上面４を隣接ボックスカルバートの端面１４´ｃにさらに強く密着させると共に、該底面５を溝１５の底壁にさらに強く密着させて第一次止水を図る。
【００５４】
また、上記弾性反発力が応力緩和により低下した場合には、侵入水を水膨張部分１Ｂが吸収し自ら膨張して第二次止水を図る。
【００５５】
≪隣接するトンネルセグメント間の微細間隙への適用例≫
図８・図９は、本実施例に係る成形止水材１を隣接するトンネルセグメント１６・１６´間の継手部分に生じる微細間隙へ適用した状態を示している。該トンネルセグメント１６（１６´）は、断面円弧状の板に成形したコンクリート二次製品であり、複数枚を縦横に連結してトンネル壁を構成する部材である。
【００５６】
図８に示すように、トンネルセグメント１６の外面１６ａと内面１６ｂ以外の四面（継手面）に成形止水材１と略同幅で環状に延びる溝１７を形成し、該溝１７内に成形止水材１を取り付け、隣接する他のトンネルセグメントと連結する。隣接するトンネルセグメント１６´にも同様に溝１７を形成し、該溝１７内に成形止水材１を取り付ける。
【００５７】
上記溝１７内に成形止水材を取り付ける場合には、該溝１７の環状に沿って適切な長さに切断した成形止水材１を同溝１７内に入れ込むか、又は適切な長さに切断した成形止水材１を上記溝１７の環状に沿うように成形し端部同士を加硫接着して同溝１７内に入れ込む。何れにしても、図９に示すように、成形止水材１の傾斜部６がトンネルセグメント１６（１６´）の外面１６ａ（１６´ａ）側、すなわち侵入水の入口側へ向くように取り付ける。なお、図９において、トンネルセグメント１６の溝１７内に取り付けた成形止水材１の傾斜部６を有する左側部２が、底面５を基準として右側にあるかのように見えるが、これは図１に示した断面形状を裏側から見た状態である。
【００５８】
上記のように取り付けた各成形止水材１は、図９に示すように、トンネルセグメント１６及びこれに隣接するトンネルセグメント１６´の端面１６ｃ・１６´ｃ同士間に生じた間隙、つまり両トンネルセグメント１６・１６´の外面１６ａ・１６´ａから内面１６ｂ・１６´ｂまで貫通する間隙内に介在配置することとなる。
【００５９】
この際にトンネルセグメント１６側に取り付けた成形止水材１の上面４と、隣接するトンネルセグメント１６´側に取り付けた成形止水材１の上面４とが密着する。また、トンネルセグメント１６側に取り付けた成形止水材１の底面５は同トンネルセグメント１６の溝１７の底壁に密着し、隣接するトンネルセグメント１６´側に取り付けた成形止水材１の底面５は同トンネルセグメント１６´の溝１７の底壁に密着する。
【００６０】
そして、上記外面１６ａ・１６´ａ側から上記間隙内に侵入してきた侵入水の水圧を両セグメント１６・１６´に取り付けたそれぞれの成形止水材１の傾斜部６で受圧し、各成形止水材１が構成ゴムの弾性反発力により上面４と底面５が離間するように変形し、各成形止水材１の上面４同士をさらに強く密着させると共に、各成形止水材１の底面５をそれぞれが密着している溝１７の底壁にさらに強く密着させて第一次止水を図る。
【００６１】
また、上記弾性反発力が応力緩和により低下した場合には、水膨張部分１Ｂ側に漏れた侵入水を該水膨張部分１Ｂが吸収し膨張して第二次止水を図る。
【実施例２】
【００６２】
図１０は本発明の実施例２に係る成形止水材１を示している。本実施例に係る成形止水材１は、前記実施例１と同様に、棒状を呈し、軸直交方向の断面形状における左側部２と右側部３間を繋ぐ上面４と底面５とを備える構成となっている。
【００６３】
加えて、本実施例の成形止水材１は左側部２と右側部３の双方に上面４から底面５側に向かって下り傾斜する曲面形状の傾斜部６を形成し且つ上記上面４も曲面形状に形成して該二つの傾斜部６と上面４の曲面形状を連続化した構成となっている。
【００６４】
また、前記実施例１においては、一つの非膨張部分１Ａと一つの水膨張部分１Ｂとを左右方向に積層する構成の例を示したが、本実施例においては、非膨張部分１Ａを水膨張部分１Ｂで挾持するように左右方向に積層する構成の例を示している。なお、これとは逆に水膨張部分１Ｂを非膨張部分１Ａで挾持するように左右方向に積層する構成とすることも、本発明では実施に応じ任意である。本実施例に用いる水膨張ゴム及び非膨張ゴムについては、前記実施例１と同様であるので、前記実施例１における記述を援用する。
【００６５】
本実施例においては、特に左右側部２・３の双方に傾斜部６を形成する構成を備え、配管用スリーブ、型枠用セパレータ、ボックスカルバート、トンネルセグメント等に取り付ける際に傾斜部６の向きに注意する必要がなくなる。
【００６６】
本実施例に係る成形止水材１は前記実施例１の成形止水材１と同様に、配管用スリーブ又は型枠用セパレータの外面とコンクリート間の微細間隙、隣接するボックスカルバート間の間隙及び隣接するトンネルセグメント間の間隙に適用できることは勿論である。
【００６７】
なお、本実施例の成形止水材１をリング状成形止水材１として配管用スリーブ外面や型枠用セパレータ外面に取り付けてコンクリート内に埋設する場合にあっては、リング下端における上面４及びその両脇の傾斜部６が曲面形状として連続化しているため、前記実施例１の場合よりも効果的にブリージング水を上昇させることができる。
【００６８】
また、左側部２の傾斜部６を侵入水の入口側に適用する場合には左側の面取り部７にて侵入水圧を一部受圧して予備的に変形することは前記実施例１と同様である。逆に右側部３の傾斜部６を侵入水の入口側に適用する場合には右側の面取り部８が浸入水圧を一部受圧して予備的に変形することとなる。何れにしても、予備的変形やその後の第一次止水のための変形、第二次止水のための変形（水膨張部分１Ｂの膨張）のメカニズムは前記実施例１と同様である。
【実施例３】
【００６９】
図１１は本発明の実施例３に係る成形止水材１を示している。本実施例に係る成形止水材１は、前記実施例１・２と同様に、棒状を呈し、軸直交方向の断面形状における左側部２と右側部３間を繋ぐ上面４と底面５とを備える構成となっている。
【００７０】
加えて、前記実施例２と同様に左右側部２・３の双方に上面４から底面５側に向かって下り傾斜する曲面形状の傾斜部６を形成し且つ上記上面４も曲面形状に形成して該二つの傾斜部６と上面４の曲面形状を連続化した構成を有している。
【００７１】
また、本実施例の成形止水材１は中央部上位の水膨張ゴムから成る水膨張部分１Ｂと、該水膨張部分１Ｂの左端１Ｂａ、右端１Ｂｂ及び下端１Ｂｃを抱持した非膨張ゴムから成る非膨張部分１Ａとを有し、該非膨張部分１Ａと上記水膨張部分１Ｂを一体成形して成る。本実施例に用いる水膨張ゴム及び非膨張ゴムについては、前記実施例１と同様であるので、前記実施例１における記述を援用する。
【００７２】
本実施例においても、前記実施例２と同様に、左右側部２・３の双方に傾斜部６を形成する構成を備え、配管用スリーブ、型枠用セパレータ、ボックスカルバート、トンネルセグメント等に取り付ける際に傾斜部６の向きに注意する必要がなくなる。
【００７３】
本実施例に係る成形止水材１も前記実施例１・２の成形止水材１と同様に、配管用スリーブ又は型枠用セパレータの外面とコンクリート間の微細間隙、隣接するボックスカルバート間の間隙及び隣接するトンネルセグメント間の間隙に当然に適用できる。
【００７４】
なお、本実施例の成形止水材１をリング状成形止水材１として配管用スリーブ外面や型枠用セパレータ外面に取り付けてコンクリート内に埋設する場合の効果的なブリージング水の上昇については前記実施例２と同様の効果を得られる。
【００７５】
また、予備的変形やその後の第一次止水のための変形、第二次止水のための変形（水膨張部分１Ｂの膨張）のメカニズムは前記実施例１と同様である。
【００７６】
以上述べたように、本発明に係るゴム製成形止水材１は、前記各実施例の何れの場合も、軸直交方向の断面形状において突出部を設けないため成形容易であり、且つ該断面形状によりゴム本来機能を利用し変形して第一次止水を行うことができる。
【００７７】
すなわち、シンプルな断面形状によりゴム本来の弾性反発力を効果的に発揮させて変形し、侵入水を有効に食い止めることができる。
【００７８】
また、本発明に係るゴム製成形止水材１は、コンクリート内に埋設する場合には、突出部を設けないことにより自身の周囲へのコンクリート流入性を良好にし、且つ傾斜部６により上記流入性をさらに高めると共にブリージング水を適切に逃がして脆弱部（レイタンス）の発生を防止する。
【００７９】
また、上記弾性反発力が応力緩和により低下した場合でも、水膨張部分１Ｂが侵入水を吸収して膨張し、第二次止水を行うことができる。
【００８０】
なお、前記実施例１乃至３においては、水膨張部分１Ｂに使用する水膨張ゴムを一種類として説明したが、該水膨張ゴムを構成する吸水性材料の配合量を調整して、膨張率や膨張速度（最大膨張までの時間）を異ならしめる複数種類の水膨張ゴムで水膨張部分１Ｂを構成しても良い。例えば高速で膨張する水膨張ゴムと、低速で膨張するが膨張率の高い水膨張ゴムを組み合わせて水膨張部分１Ｂを構成すれば、第一次止水と第二次止水とのタイムラグの短縮や止水効果の持続性向上等が期待できる。
【符号の説明】
【００８１】
１…ゴム製成形止水材、１Ａ…非膨張部分、１Ｂ…水膨張部分、１Ｂａ…左側面、１Ｂｂ…右側面、１Ｂｃ…下端面、２…左側部、３…右側部、４…上面、５…底面、６…傾斜部、７…面取り部、８…面取り部、９…面取り部、１１…コンクリート、１２…コンクリート壁、１２ａ…外面、１２ｂ…屋内面、１３…配管用スリーブ（被取付部材）、１４…ボックスカルバート、１４ａ…外面、１４ｂ…内面、１４ｃ…端面、１４´…隣接するボックスカルバート、１４´ａ…外面、１４´ｂ…内面、１４´ｃ…端面、１５…溝、１６…トンネルセグメント、１６ａ…外面、１６ｂ…内面、１６ｃ…継手面、１６´…隣接するトンネルセグメント、１６´ａ…外面、１６´ｂ…内面、１６´ｃ…継手面、１７…溝、Ｗ１…ブリージング水、Ｗ２…侵入水。
【要約】
【課題】  効果的に止水を行うことができるゴム製成形止水材の提供。
【解決手段】  間隙内において該間隙内に侵入した侵入水Ｗ２の浸入方向に直交するように介在配置し該侵入水Ｗ２の止水を図る棒状のゴム製成形止水材１であって、軸直交方向の断面形状における左側部２と右側部３間を繋ぐ上面４と底面５とを備え、該左側部２及び右側部３の少なくとも一方に上記上面４から上記底面５側に向かって下り傾斜する傾斜部６を形成し、該傾斜部６により侵入水Ｗ２の水圧を受圧し、ゴムの弾性反発力によって上記上面４と上記底面５を離間するように変形して止水を図るゴム製成形止水材１を提供する。
【選択図】  図５【図２】
0005596881.tif 000002
【図３】
0005596881.tif 000003
【図４】
0005596881.tif 000004
【図５】
0005596881.tif 000005
【図６】
0005596881.tif 000006
【図７】
0005596881.tif 000007
【図８】
0005596881.tif 000008
【図９】
0005596881.tif 000009
【図１】
0005596881.tif 000010
【図１０】
0005596881.tif 000011
【図１１】
0005596881.tif 000012